(57)【要約】      （修正有）【課題】蓄光機能を簡単に付与できるインサート付き境界ブロックを提供する。【解決手段】道路の車道ｄと歩道ｆの境目、道路の縁や特定の位置を示す境界ブロックにおいて、道路に多数個を線状に配列して設置するブロック本体１は、プレキャストコンクリートの横長形状にし、吊り具を連結するインサート２を埋設し、上面にインサートを開口している。インサートは、吊り具の使用後に開口部に栓型の蓋３を嵌め込み、開口を閉鎖し、栓型の蓋の上面を外気に露出している。栓型の蓋の、少なくとも上面を蓄光材を混入した合成樹脂成形品で形成して蓄光性とし、昼間に太陽光を浴びて光を蓄え、蓄積した光を夜間に放出する構成にする。【選択図】図２
0003195458.tif 000002
【実用新案登録請求の範囲】
【請求項１】
道路の車道と歩道の境目、道路の縁や特定の位置を示す境界ブロックにおいて、
道路に多数個を線状に配列して設置するブロック本体は、プレキャストコンクリートの横長形状にし、吊り具を連結するインサートを埋設し、上面にインサートを開口し、吊り具の使用後、インサートは、開口部に栓型の蓋を嵌め込み、開口を閉鎖し、栓型の蓋の上面を外気に露出するインサート付き境界ブロックであって、
インサートの栓型の蓋は、少なくとも上面を蓄光性にし、昼間に太陽光を浴びて光を蓄え、蓄積した光を夜間に放出する構成にしていることを特徴とする境界ブロック。
【請求項２】
栓型の蓋は、合成樹脂成形品にし、蓄光材を混入していることを特徴とする請求項１に記載の境界ブロック。
【請求項３】
栓型の蓋は、円形状の天板の下に逆円錐筒台形状の周壁を設けていることを特徴とする請求項１又は２に記載の境界ブロック。
【考案の詳細な説明】
【技術分野】
【０００１】
本考案は、道路の車道と歩道の境目、道路の縁や特定の位置を示す境界ブロックに関する。
【背景技術】
【０００２】
道路の車道と歩道の境目を示す境界ブロックは、縁石とも言われ、特許文献１に開示されている。ブロック本体は、道路に設置する横長直方体形状にし、上面又は側面に凹部を設けている。凹部には、接着剤で蓄光材を固着している。蓄光材は、昼間に太陽光を浴びて光を吸収して蓄え、蓄積した光を夜間に放出する。蓄光材付きの境界ブロックは、夜間の視認性が向上する。
【先行技術文献】
【特許文献】
【０００３】
【特許文献１】登録実用新案第３０５８２２２号公報
【考案の概要】
【考案が解決しようとする課題】
【０００４】
［課  題］
上記のような蓄光材付き境界ブロックでは、蓄光材を取り付けるのに、凹部の形成、接着剤の塗布、蓄光材の凹部への嵌め込みを要する。多くの手間が掛かる。境界ブロックに蓄光機能を簡単に付与したい。
【０００５】
［着  想］
境界ブロックは、プレキャストコンクリートのブロックであり、人力で取り扱うには重い。道路に多数個を線状に配列して設置する施工時、重量物を吊り上げる機械を使用することがある。境界ブロックは、吊り具を連結するインサートを埋め込んでいるタイプがある。
【０００６】
インサート付き境界ブロックでは、インサートは、境界ブロックの上面に開口し、吊り具の軸部を挿入して連結する構成にしている。吊り上げ作業後、吊り具は、インサートから抜き取る。そして、インサートは、開口部に栓型の蓋を嵌め込み、開口を閉鎖する。蓋は、上面が外気に露出する。
【０００７】
そこで、インサートの蓋は、少なくとも上面を蓄光性にすることにした。インサート付き境界ブロックに蓄光性のある蓋を付ければ、インサート付き境界ブロックは、蓄光機能が簡単に付与される。
【０００８】
蓋を蓄光性にするには、蓋が合成樹脂成形品であれば、原料の樹脂に蓄光材を混入して成形する。蓋の材質が何であれ、蓋の上面に蓄光材付着性があれば、蓋の上面に蓄光材を付着する。蓄光材の付着は、蓄光塗料の塗布が典型例である。
【課題を解決するための手段】
【０００９】
１．道路の車道と歩道の境目、道路の縁や特定の位置を示す境界ブロックにおいて、
道路に多数個を線状に配列して設置するブロック本体は、プレキャストコンクリートの横長形状にし、吊り具を連結するインサートを埋設し、上面にインサートを開口し、吊り具の使用後、インサートは、開口部に栓型の蓋を嵌め込み、開口を閉鎖し、栓型の蓋の上面を外気に露出するインサート付き境界ブロックであって、
インサートの栓型の蓋は、少なくとも上面を蓄光性にし、昼間に太陽光を浴びて光を蓄え、蓄積した光を夜間に放出する構成にしていることを特徴とする。
２．上記１の境界ブロックにおいて、
栓型の蓋は、合成樹脂成形品にし、蓄光材を混入していることを特徴とする。
３．上記１又は２の境界ブロックにおいて、
栓型の蓋は、円形状の天板の下に逆円錐筒台形状の周壁を設けていることを特徴とする。
【考案の効果】
【００１０】
インサート付き境界ブロックに蓄光機能が簡単に付与される。
【図面の簡単な説明】
【００１１】
【図１】本考案の実施形態における境界ブロックの施工状態の平面図。
【図２】図１のＡ−Ａ線断面図。
【図３】図２のＢ−Ｂ線断面図。
【図４】同境界ブロックのインサート部分の拡大図で、（１）は平面図、（２）はC−C線断面図。
【図５】同インサートの図で、（１）は平面、（２）はD−D線断面図、（３）はE−E線断面図、（４）はF−F線断面図。
【図６】同インサートの蓋の図で、（１）は平面図、（２）は正面図、（３）は底面図、（４）はG−G線断面図。
【図７】同インサートに連結する吊り具の図で、（１）は正面図、（２）は後部を省略した底面図。
【考案を実施するための形態】
【００１２】
実施形態の境界ブロックは、施工時、図１〜図３に示すように、多数個の横長のブロック本体１を道路に線状に配列して設置する。道路の車道ｄと歩道ｆの境目を示す。
【００１３】
車道ｄは、砕石層ｓの上にコンクリート盤ｃを形成している。コンクリート盤ｃは、歩道ｆとの境の端部上に敷モルタル層ｍを形成し、敷モルタル層ｍの上にブロック本体１を設置している。プレキャストコンクリートのブロック本体１は、敷モルタル層ｍを介してコンクリート盤ｃに結合している。
【００１４】
ブロック本体１は、横長直方体形状に成形し、吊り具ｈを連結するインサート２を埋設し、上面にインサート２を開口している。インサート２は、開口のある上端面をブロック本体１の上面と同一面にしている。吊り具ｈの使用後、インサート２は、開口部に栓型の蓋３を嵌め込み、開口を閉鎖している。蓋３は、上面をブロック本体１の上面と同一面にし、外気に露出している。
【００１５】
栓型の蓋３は、合成樹脂成形品にし、蓄光材を混入している。蓋３の上面は、昼間に太陽光を浴びて光を吸収し、蓄積した光を夜間に放出する。
【００１６】
インサート２は、ABS樹脂のような硬質の合成樹脂の成形品にし、概略円筒形状にしている。詳細には、図４と図５に示すように、上から下に順次、蓋嵌め込み部１１、軸挿入部１２と抜け止め部１３を形成している。蓋嵌め込み部１１は、中心孔を円形状にしている。軸挿入部１２は、中心孔を概略長方形の長辺中央部を円弧状に膨らませた形状にしている。掛け止め部１３は、中心孔を円形状にしている。蓋嵌め込み部１１の中心孔、軸挿入部１２の中心孔と抜け止め部１３の中心孔は、同心状にし、連通している。
【００１７】
栓型の蓋３は、ポリプロピレン樹脂のような弾性のある合成樹脂の成形品にし、栓型形状にしている。詳細には、図４と図６に示すように、円形状の天板１６の下に周壁１７を設けている。周壁１７は、テーパの緩い逆円錐筒台形状にし、下部に複数のすり割り溝１８を形成している。栓型の蓋３は、周壁１７の外径を縮小可能にし、弾性力で復元可能にしている。インサート２の蓋嵌め込み部１１に嵌め込み易くて確実に固定される構成にしている。
【００１８】
蓋３の成形原料の合成樹脂は、蓄光材の蓄光顔料を混入している。蓄光顔料は、アルミン酸塩化合物のようなアルミナを主成分とした酸化物にしている。
【００１９】
吊り具ｈは、図７に示すように、環部２１と軸部２２、２３を上下に結合している。環部２１は、吊り上げ用のワイヤーロープやフックが入る円環形状にしている。軸部２２、２３は、縦の主軸２２の下端部に横棒の抜け止め棒２３を貫通して固定している。逆T字形状にしている。主軸２２は、インサート２の蓋嵌め込み部１１、軸挿入部１２と抜け止め部１３に挿入する。抜け止め棒２３は、蓋嵌め込み部１１と軸挿入部１２を通過して抜け止め部１３に挿入する。吊り具ｈは、インサート２に挿入して９０度回転すると、抜け止め棒２３が抜け止め部１３の天井に当たって抜けなくなる。更に９０度回転すると、抜け出し可能になる。
【００２０】
［変形例］
本考案は、上記の実施形態に限定されない。次のような変形が例示される。
１．上記の実施形態において、蓋３は、蓄光材の蓄光顔料を混入しているが、上面に蓄光材の蓄光塗料を塗布する。又は、上面に蓄光板を貼り付ける。
２．上記の実施形態において、蓋３は、円形状の天板１６の下に逆円錐筒台形状の周壁１７を設けた形状にしているが、逆円錐台形状にする。又は、その他の栓型形状にする。
３．上記の実施形態において、インサート２と吊り具ｈは、連結機構を四分の１回転式にしているが、複数回転式のねじ機構にする。又は、その他の連結機構にする。
４．上記の実施形態において、インサート２は、合成樹脂製にしているが、金属製にする。
５．上記の実施形態において、境界ブロックに設けたインサート２と蓋３は、１組にしているが、複数組にする。
【符号の説明】
【００２１】
ｄ  道路の車道
ｆ  道路の歩道
ｓ  砕石層
ｃ  コンクリート盤
ｍ  敷モルタル層
ｈ  吊り具
１  ブロック本体
２  インサート
３  栓型の蓋、蓋
１１  インサートの蓋嵌め込み部
１２  インサートの軸挿入部
１３  インサートの抜け止め部
１６  蓋の天板
１７  蓋の周壁
１８  周壁のすり割り溝
２１  吊り具の環部
２２、２３  吊り具の軸部
２２  軸部の主軸
２３  軸部の抜け止め棒
【図１】
0003195458.tif 000003
【図２】
0003195458.tif 000004
【図３】
0003195458.tif 000005
【図４】
0003195458.tif 000006
【図５】
0003195458.tif 000007
【図６】
0003195458.tif 000008
【図７】
0003195458.tif 000009